(57)【要約】      （修正有）【課題】トイレブースの中に居る実際の使用者に不快感を感じさせることを防ぎ、また、トイレブースの外に居る人に対するトイレ使用音のマスキング効果が高いトイレ用音響装置を提供する。【解決手段】トイレブースの壁面１６に固定され、音を発生させるスピーカを備えたトイレ用音響装置３０において、このトイレ用音響装置３０の設置面からの音の指向特性が、設置面１６と垂直な方向に比べて他の一方向に指向している。【選択図】図１
2010227284.tif 000002
【特許請求の範囲】
【請求項１】
トイレブースの壁面に固定され、音を発生させるスピーカを備えたトイレ用音響装置において、
このトイレ用音響装置の設置面からの音の指向特性が、設置面と垂直な方向に比べて他の一方向に指向していることを特徴とするトイレ用音響装置。
【請求項２】
前記トイレ用音響装置において、前記スピーカにより発生した音の指向特性を変更可能としたことを特徴とする請求項１記載のトイレ用音響装置。
【請求項３】
前記トイレ用音響装置において、前記スピーカを複数備え、そのトイレ用音響装置の設置面に対してそれらスピーカの取り付け角度が異なるように配置されていることで、設置面からの音の指向特性が、設置面と垂直な方向に比べて他の一方向に指向していることを特徴とする請求項１記載のトイレ用音響装置。
【請求項４】
前記複数のスピーカに対して、夫々異なる音源データを供給可能としたことを特徴とする請求項３記載のトイレ用音響装置。
【請求項５】
前記トイレ用音響装置において、使用者を検知する使用者検知手段と、光を発する光源とを備え、前記使用者検知手段が使用者を検知している間は前記スピーカからの発音が停止されていても前記光源から光を発することを特徴とする請求項１〜請求項４何れか一項に記載のトイレ用音響装置。
【請求項６】
前記請求項１〜請求項５何れか一項に記載のトイレ用音響装置の施工方法であって、トイレブースの中心位置よりもトイレブースの入口に近い天井壁面に前記トイレ用音響装置を設置することを特徴とするトイレ用音響装置の施工方法。
【発明の詳細な説明】
【技術分野】
【０００１】
本発明は、トイレブース内に設置され音を発生するトイレ用音響装置に係り、特にトイレ使用時の使用音をマスキングするための音を出力するのに好適なトイレ用音響装置に関する発明である。 
【背景技術】
【０００２】
従来のトイレ用音響装置としては、音を発生するためのスピーカと使用者を検知するためのセンサとがケース内に収納されて、そのケースをトイレブースの側壁面に設置して使用されるものが知られている（例えば、特許文献１参照。）。また、音を発生するためのスピーカを洋風便器本体内に収納しておき、そのスピーカからトイレブースの側壁面に向けて音を発生させるものも知られている。（例えば、特許文献２参照。）。
【０００３】
しかし、上記した従来のトイレ用音響装置においては、トイレ使用者に向けて音を出す、又は、トイレブースの側壁面で反響させた音を使用者に向けることによって、トイレ使用音をマスキングすることを目的としており、マスキングしたい対象であるトイレブースの外にいる使用者にも音を聞かせるために、音量を大きくする必要があり、トイレブースに居る使用者にとっては不快となる場合があった。
【先行技術文献】
【特許文献】
【０００４】
【特許文献１】特許３４２００６６号公報
【特許文献２】特開２００５−２０７０７２号公報
【発明の概要】
【発明が解決しようとする課題】
【０００５】
本発明は、上記問題を解決するためになされたもので、本発明の課題は、トイレブースの中に居る実際の使用者に不快感を感じさせることを防ぎ、また、トイレブースの外に居る人に対するトイレ使用音のマスキング効果が高いトイレ用音響装置を提供することを目的とするものである。
【課題を解決するための手段】
【０００６】
上記目的を達成するために請求項１記載の発明によれば、トイレブースの壁面に固定され、音を発生させるスピーカを備えたトイレ用音響装置において、このトイレ用音響装置の設置面からの音の指向特性が、設置面と垂直な方向に比べて他の一方向に指向していることを特徴とする。
【０００７】
このように構成されたトイレ用音響装置においては、発せられる音が設置面と垂直な方向（トイレブース内の方向）に比べて他の一方向（トイレブース外の方向）へ指向するので、トイレブース内へ伝わる音を抑えながら、トイレブース外へ伝わる音を大きくすることが可能であり、トイレブース外に居る人への充分なマスキング効果を得ながら、トイレブース内に居る使用者の耳に大きな音が届いて不快感を感じるという不具合を防止することが可能である。
特に、公共施設などのトイレブースにおいて、側壁の上端と天井壁との間が開放されている場合、このトイレ用音響装置を天井壁面に設置することにより、トイレブース内に伝わる音を抑えて、トイレブース外へ直接伝わる音を大きくすることができ、トイレブース外に居る人への充分なマスキング効果を得ることが可能となり、また、人間の耳は水平方向に指向性が高いので、横壁から発生する音よりも上方から発生する音の方が耳障りではなく心地よいという効果も得られる。しかも、設置面として天井壁面を利用することにより、トイレブース側壁面における、紙巻器や温水洗浄便座用リモコン等の他の機器との干渉を生ずることがない位置にトイレ用音響装置を設置することが可能となる。
【０００８】
また、請求項２記載の発明によれば、前記トイレ用音響装置において、前記スピーカにより発生した音の指向特性を変更可能としたことを特徴とする。
従って、トイレブースの広さや、天井壁面の高さに応じて音の指向特性を調整することができ、トイレブース内に伝わる音を抑えながら、トイレブース外へ伝わる音を大きくして、トイレブース外に居る人への充分なマスキング効果を得ながら、トイレブース内に居る使用者の耳に大きな音が届いて不快感を感じるといった不具合を確実に防止することが可能である。
【０００９】
また、請求項３記載の発明よれば、前記トイレ用音響装置において、前記スピーカを複数備え、そのトイレ用音響装置の設置面に対してそれらスピーカの取り付け角度が異なるように配置されていることで、設置面からの音の指向特性が、設置面と垂直な方向に比べて他の一方向に指向していることを特徴とする。
従って、設置面と垂直な方向に比べて他の一方向に、確実に、かつ、大幅に指向させることができる。
【００１０】
また、請求項４記載の発明によれば、前記複数のスピーカに対して、夫々異なる音源データを供給可能としたことを特徴とする。
従って、トイレブース内の使用者と使用者以外の人に対して音源データの使い分けが可能となり、例えば、一方の音源データを流水音とし、他方の音源データを流水音以外の小鳥の囀りといった癒し効果のある音としておき、トイレブース外におけるトイレブースでの使用音のマスキング効果を高めたい時には、トイレブース外に向けて流水音が流れるように設定するすることで、マスキング効果を一層高めるといったことが可能となる。
【００１１】
また、請求項５記載の発明によれば、前記トイレ用音響装置において、使用者を検知する使用者検知手段と、光を発する光源とを備え、前記使用者検知手段が使用者を検知している間は前記スピーカからの発音が停止されていても前記光源から光を発することを特徴する。
従って、使用者がスピーカからの音の発生を停止している場合であっても、目視によってもトイレブースが使用中であることを認識することができ、空いているトイレブースを簡単に探すことが可能となる。
【００１２】
また、請求項６記載の発明によれば、前記トイレ用音響装置の施工方法であって、トイレブースの中心位置よりもトイレブースの入口に近い天井壁面に前記トイレ用音響装置を設置することを特徴とする。
従って、トイレブース内へ伝わる音を抑えながら、トイレブース外へと伝わたる音を大きくして、トイレブース外に居る人への充分なマスキング効果を得ながら、トイレブース内に居る使用者の耳に大きな音が届いて不快感を感じるといった不具合を確実に防止することが可能である。
【発明の効果】
【００１３】
本発明によれば、トイレ用音響発生装置のスピーカからトイレブース内へ伝わる音を抑えながら、トイレブース外へ伝わる音を大きくすることが可能であり、トイレブース外に居る人への充分なマスキング効果を得ながら、トイレブース内に居る使用者の耳に大きな音が届いて不快感を感じるという不具合を防止することが可能である。
【図面の簡単な説明】
【００１４】
【図１】本発明に係るトイレブースを横から見た図である。
【図２】本発明に係るトイレブースを正面から見た図である。
【図３】本発明の実施形態のトイレ用音響装置を示す断面図である。
【図４】図３のトイレ用音響装置を下から見た外観図である。
【図５】本発明の第二実施形態のトイレ用音響装置を示す断面図である。
【図６】本発明の第三実施形態のトイレ用音響装置を示す断面図である。
【図７】図６のトイレ用音響装置を下から見た外観図である。
【図８】本発明の第四実施形態のトイレ用音響装置を示す断面図である。
【図９】図８のトイレ用音響装置８０を下から見た外観図である。
【図１０】図８のトイレ用音響装置の動作を示すタイムチャートである。
【発明を実施するための形態】
【００１５】
以下、図面を参照しつつ本発明の実施の形態について説明する。
【００１６】
図１は本発明に係るトイレ用音響装置がその天井壁面に取り付けられたトイレブースＢを横から見た図、図２はトイレブースＢを正面から見た図で、トイレブースＢは３個連接され、床面１０、パーティション壁１２、ドア１４、後壁１５、天井壁１６で構成されている。側壁としてのパーティション壁１２、前壁としてのドア１４は、床面１０と天井壁１６との間に立てられた支柱１７に固定されており、トイレブースＢ上方空間１８ｂは、パーティション壁１２の上端、或いはドア１４の上端と天井壁１６との間が開放されており、その下方空間１８ａは、後壁１５、パーティション壁１２、及びドア１４で閉鎖されている。
【００１７】
床面１０には大便器２０が設置され、その上に温水洗浄便座２２が取り付いている。パーティション壁１２には紙巻器２４、大便器洗浄のための大便器洗浄スイッチ２０ａ、温水洗浄や便座ヒーター温度などを操作するための温水洗浄便座リモコン２２ａ、非常呼出ボタン２６が取り付いている。
【００１８】
また、天井壁１６にはトイレ用音響装置３０が取り付いており、３２ａはトイレ用音響装置３０が発する音の音圧の指向特性図、３２ｂから３２ｅはその音圧レベルのベクトルである。指向特性は、このトイレ用音響装置３０が取り付けれられる設置面である天井壁１６から垂直下方のトイレブースＢ内に向かうベクトル３２ｃや後壁１５側に向かうベクトル３２ｄに対して、パーティション壁１２の上端、或いはドア１４の上端と天井壁１６との間の開放空間、すなわちトイレブースＢ上方空間１８ｂに向かうベクトル３２ｂ、ベクトル３２ｅが大きくなっている。
【００１９】
これにより、トイレ用音響装置３０から発せられる音は、トイレブースＢ内の方向に比べてトイレブースＢ外の方向へ指向するので、トイレブースＢ内へ伝わる音を抑えながら、トイレブースＢ外へ伝わる音が大きくなり、トイレブースＢ外に居る人への充分なマスキング効果を得ながら、トイレブースＢ内に居る使用者の耳に大きな音が届いて不快感を感じるという不具合を防止することができる。また、トイレ用音響装置３０を天井壁１６に取り付けたので、紙巻器２４、大便器洗浄スイッチ２０ａ、温水洗浄便座リモコン２２ａ、非常呼出ボタン２６等のパーティション壁１２に設ける他の機器との干渉を生ずることがない。なお、パーティション壁１２の上端、或いはドア１４の上端と天井壁１６との間は開放としたが、これに限らず仕切られていても同様な効果が得られる。
【００２０】
次に、トイレブースＢ内の方向に比べてトイレブースＢ外の方向へ指向させるための実施形態であるトイレ用音響装置３０について説明する。
【００２１】
図３はトイレ用音響装置３０の断面図で、トイレ用音響装置３０は本体４０が天井壁１６の内部に埋め込まれ、その本体４０の天井壁１６から露出した先端にはこのトイレ用音響装置３０の設置面となる円環状のフランジ部４０ａが形成されている。本体４０は円環状のフランジ部４０ａと取付金具４１にて天井壁１６を挟み込み固定されている。本体４０には制御基板４３、端子台４４がネジで固定され、両者は結線されており、端子台４４には商用電源の屋内配線４４ａが結線され給電されている。フランジ部４０ａの内周は開口しており、そこに取付バネ４２によってカバー４９が脱着可能に取り付けられている。このカバー４９には、人体検知センサーユニット４６が埋め込まれ、また、スピーカー５０が固定金具４７にて固定されている。人体検知センサーユニット４６は、例えば熱線検知式の焦電センサーが挙げられる。人体検知センサーユニット４６とスピーカー５０への配線は、コネクタ４５にて制御基板４３と結線されており、コネクタ４５は抜き差し可能となっている。カバー４９には複数の小穴４９´が開いており、これはスピーカー５０から発せられた音が通過するためのもので、複数の小穴４９´以外のカバー部分は、粉塵などからトイレ用音響装置３０を保護する。また、カバー４９内面の一部に貼り付けられた板材４８は、カバー４９の小穴４９´を覆っており、この小穴４９´からの音の通過量を低減する音伝達低減部材である。
【００２２】
このトイレ用音響装置３０の動作は、トイレブースＢに人が入室すると人体検知センサーユニット４６が人を検知し検知信号を制御基板４３に送り、その信号を受け制御基板４３からスピーカー５０に所定の音源の信号を送り、音を発する仕組みになっている。
【００２３】
スピーカー５０から発せられた音は、カバー４９の複数の小穴４９´を通過するが、板材４８が貼り付けられた部分は小穴が覆われているため、その部分を通過する音圧が低減される。これらの指向特性を音圧のベクトルで示すと、この板材４８が設けられていないと設置面から垂直方向である３２ｃが最も大きくなるのに対して、この板材４８によって音が低減されている垂直方向に向かう３２ｃに比べて、板材４８により音が低減されていない斜め下方向に向かう３２ｂが大きくなる。したがって、このトイレ用音響装置３０を図１の如く、人体検知センサーユニット４６側が後壁１５側になる向きに取付けると、トイレブースＢ内の方向に向かう音圧と比べてトイレブースＢ外の方向に向かう音圧が大きく、従って、このトイレ用音響装置３０から出る音はトイレブースＢ外へ指向することになるので、トイレブースＢ内へ伝わる音を抑えながら、トイレブースＢ外へ伝わる音を大きくすることができる。
【００２４】
図４はトイレ用音響装置３０を下から見た外観図で、スピーカー５０の形状・位置を２点鎖線５０´で、板材４８の形状・位置を破線４８´で示している。両者をこのような形状・位置にしたので、指向性はセンサー側に向かうベクトル３２ｄよりそれ以外の方向に向かうベクトル３２ｂ、３２ｅが大きくなる。したがって、このトイレ用音響装置３０を図１の如く、人体検知センサーユニット４６側が後壁１５側になる方向に取付けると、図２の如く、トイレブースＢ内の方向に比べてトイレブースＢ外の方向へ指向するので、トイレブースＢ内へ伝わる音を抑えながら、トイレブースＢ外へ伝わる音を大きくすることができる。
【００２５】
なお、指向特性の制御はこれに限らず、指向させたい側のカバー穴径を大きくする、或いは指向させたくない側のカバー穴径を小さくするなどの方法もある。また、板材４８をカバー４９に対してスライド可能としておくことにより、指向特性を変更できるようにしておくこともできる。
【００２６】
また、トイレ用音響装置３０への商用電源給電は天井裏で結線できるので、パーティション壁に配線を通す厄介な従来の配線工事よりも簡便である。
【００２７】
図５は第二実施形態のトイレ用音響装置６０の断面図で、５１はスピーカーユニット、５４はスピーカーユニット５１の回転軸、５６はその回転軸を支える受け金具であって本体４０の天面に固定されている。スピーカーユニット５１は、回転軸５４を中心に回動することができ、回動した軌跡を５２に示す。スピーカーユニット５１の内部には、人体検知センサー、及びスピーカーが内蔵され、スピーカーユニット５１の下面には音を通過させるための小穴が複数開いている（図示せず）。なお、図５において、図３と同一部分には同一符号を付してその構成を明確にするとともに、その詳細な説明を省略する。
【００２８】
このように、スピーカーの向きを回動できるようにしたので、トイレブースＢの広さや天井壁１６の高さに応じて音の向きを可変することができ、指向特性を調整できる。これにより、トイレブースＢ内に伝わる音を抑えながら、トイレブースＢ外へ伝わる音を大きくして、トイレブースＢ外に居る人への充分なマスキング効果を得ながら、トイレブースＢ内に居る使用者の耳に大きな音が届いて不快感を感じるといった不具合を確実に防止することができる。
【００２９】
図６は第三実施形態のトイレ用音響装置７０の断面図で、カバー６２には音を通過させるための複数の小穴６２´が開いている。スピーカー６４は天井壁１６に対して水平に、スピーカー６５はスピーカー６４と異なる角度で、固定金具４７、４７´にて固定され、コネクタ４５を介して制御基板６６と結線されている。
【００３０】
また、制御基板６６には予め二つの異なる音源データが記憶されており、トイレブースＢに人が入室すると人体検知センサーユニット４６が人を検知し検知信号を制御基板６６に送り、その信号を受け制御基板６６から二つの異なる音源データの音の信号がスピーカー６４とスピーカー６５に各々送られ、音を発する仕組みになっている。また、スピーカー６４の発する音の音圧よりもスピーカー６５の発する音の音圧の方が大きくなるよう、制御基板６６からスピーカー６４と６５とへ送られる信号が予め設定されている。なお、スピーカー６４に比べてスピーカー６５の方が音圧を出力できる形態のスピーカーを利用することで、制御基板６６からスピーカー６４と６５に同一の音源信号を送るように構成することも可能である。
【００３１】
図７はトイレ用音響装置７０を下から見た外観図で、スピーカー６４とスピーカー６５の形状・位置を２点鎖線でそれぞれ６４´、６５´で示している。なお、図６及び図７において、図３と同一部分には同一符号を付してその構成を明確にするとともに、その詳細な説明を省略する。
【００３２】
このトイレ用音響装置７０を図１の如く、スピーカー６４側が後壁面１５側になる方向に取付けると、スピーカー６４への音の信号よりもスピーカー６５への音の信号の方が高い音圧の音を出力できるように予め設定されているので、トイレブースＢ内の方向に比べてトイレブースＢ外の方向へ指向し、トイレブースＢ内へ伝わる音を抑えながら、トイレブースＢ外へ伝わる音を確実に、かつ、大幅に大きくすることができる。
【００３３】
さらに、二つの異なる音源データを供給可能にした場合には、トイレブースＢ内の使用者と使用者以外の人に対して音源データの使い分けが可能となり、例えば、一方の音源データを流水音とし、他方の音源データを流水音以外の小鳥の囀りといった癒し効果のある音としておき、トイレブースＢ外におけるトイレブースＢでの使用音のマスキング効果を高めたい時には、トイレブースＢ外に向けて流水音が流れるように設定するすることで、マスキング効果を一層高めるといったことが可能となる。
【００３４】
図８は第四実施形態のトイレ用音響装置８０の断面図、図９はトイレ用音響装置８０を下から見た外観図で、７２はＬＥＤ照明部で、内部にＬＥＤ発光素子が内蔵されており（図示せず）、コネクタ４５を介して制御基板７６と結線されている。ＬＥＤ照明部７２の表面には乳白色半透明の透光板７４があり、ＬＥＤが発光すると透光板７４内部で光が散乱し、透光板７４表面が面発光する仕組みになっている。
【００３５】
センサーユニット７８には、人体検知センサーと赤外線受信センサーが内蔵され（図示せず）、コネクタ４５を介して制御基板７６と結線されており、人体検知センサーが人体を検知、或いは赤外線受信センサーが特定の赤外線を受信すると、ＬＥＤが発光したり、スピーカー５０に音の信号を送ったり遮断したりする。
【００３６】
赤外線受信センサーへの特定の赤外線の発信は、例えば、温水洗浄便座リモコン２２ａに天井面に向けて赤外線信号を送信できる送信ＬＥＤ（図示せず）を内蔵し、その温水洗浄便座リモコン２２ａに設けられている音のＯＮ・ＯＦＦ用押しボタン（図示せず）を押すことで特定の赤外線を発信させればよい。なお、図８及び図９において、図３と同一部分には同一符号を付してその構成を明確にするとともに、その詳細な説明を省略する。
【００３７】
図１０はトイレ用音響装置８０のタイムチャートであって、これを参照しつつ、動作を説明する。人がトイレブースＢに入室したｔ１時点で、人体検知センサーが人を検知し、検知信号を制御基板７６に送り、その信号を受け、ＬＥＤ照明部７２には制御基板７６から所定の電力を供給しＬＥＤ発光素子を発光させ、またそれと同時に、スピーカー５０には音の信号を送り音を発生させる。次に、赤外線受信センサーが特定の赤外線を受信したｔ２時点で、スピーカー５０からの音の発生は停止するが、さらに赤外線受信センサーが特定の赤外線を受信したｔ３時点で、スピーカー５０からの音が再び発生する。次に、人がトイレブースＢを退室すると、人体検知が非検知状態となり、ＬＥＤ発光素子の発光とスピーカー５０からの音の発生を停止させる。また、人体検知が非検知状態のｔ５、ｔ６時点で赤外線受信センサーが特定の赤外線を受信しても、スピーカー５０からの音の発生はなくＬＥＤ発光素子の発光もない。
【００３８】
これにより、トイレ使用者の意志で、発生している音を停止させたり、再び音を発生させることができる。これは、例えば、発生している音が好みではなく消したい場合や、清掃時に無駄な音出しを消したい場合などに有効である。なお、音の発生は、その発生開始から所定時間が経過すると自動的に停止させるようにすることもできる。また、人体検知に基いてｔ１の時点で自動で音を発生さる必要はなく、赤外線受信センサーが受信すると音を発生させ、次に赤外線受信センサーが受信すると音を停止させるようにしても良いものである。
【００３９】
また、使用者が音が停止させている場合でも、ＬＥＤ発光素子の発光により透光板７４表面が面発光しているので、目視によってもトイレブースＢが使用中であることを認識することができ、空いているトイレブースＢを簡単に探すことができる。
【００４０】
さらに、前述のトイレ用音響装置３０、６０、７０、８０を、トイレブースＢのドア１４と後壁１５との間の中心位置よりもトイレブースＢのドア１４に近い天井壁１６に設置することにより、トイレブースＢ内へ伝わる音を抑えながら、トイレブースＢ外へと伝わる音を大きくして、トイレブースＢ外に居る人への充分なマスキング効果を得ながら、トイレブースＢ内に居る使用者の耳に大きな音が届いて不快感を感じるといった不具合を確実に防止することが可能となる。
【００４１】
以上から、本発明により、トイレブースＢの中に居る実際の使用者に不快感を感じさせることを防ぎ、また、トイレブースＢの外に居る人に対するトイレ使用音のマスキング効果が高いトイレ用音響装置を提供できる。
【００４２】
なお、実施例において、トイレ用音響装置３０、６０、７０の設置位置を天井壁としたがこれに限らず、側壁面に設置しても同様の効果が得られることは言うまでもない。
【符号の説明】
【００４３】
Ｂ…トイレブース
１０…床面
１２…パーティション壁
１４…ドア
１５…後壁
１６…天井壁
３０、６０、７０、８０…トイレ用音響装置
３２ａ…トイレ用音響装置３０の指向特性図
３２ｂ、３２ｃ、３２ｄ、３２ｅ…ベクトル
４０…本体
４０ａ…フランジ部（設置面）
４３、６６、７６…制御基板
４４…端子台
４４ａ…屋内配線
４６…人体検知センサーユニット
４８…板材
４９、６２…カバー
４９´、６２´…複数の小穴
５０、６４、６５…スピーカー
５１…スピーカーユニット
５４…回転軸
７２…ＬＥＤ照明部
７４…透光板
７８…センサーユニット
【図１】
2010227284.tif 000003
【図２】
2010227284.tif 000004
【図３】
2010227284.tif 000005
【図４】
2010227284.tif 000006
【図５】
2010227284.tif 000007
【図６】
2010227284.tif 000008
【図７】
2010227284.tif 000009
【図８】
2010227284.tif 000010
【図９】
2010227284.tif 000011
【図１０】
2010227284.tif 000012